【手続補正書】
【提出日】平成20年8月28日(2008.8.28)
【手続補正１】
【補正対象書類名】明細書
【補正対象項目名】特許請求の範囲
【補正方法】変更
【補正の内容】
【特許請求の範囲】
【請求項１】
複数の３次元オブジェクトを含むコンピュータモデルを定義するデータを格納するデータ格納部と、
前記コンピュータモデルが前記データ格納部に格納されている場合に、当該コンピュータモデルを変更する手段と、
変化するコンピュータモデルを表示するために、前記コンピュータモデルを定義するデータを処理して、一連の２次元表示画像を定義する表示データを生成する処理手段とを含むコンピュータグラフィックス装置であって、
前記一連の表示画像のうちの１つの表示画像に対応する静止画像データの生成を開始する信号を受信する手段と、
開始信号の受信に続いてコンピュータモデルの変更を検出する検出手段と、
前記検出手段による検出に応じて、前記開始信号の受信に続いて変更された前記コンピュータモデルを使用して、前記開始信号の受信時における前記表示画像に対応するコンピュータモデルの生成を可能にする回復データを格納するように動作可能である回復手段と、
前記開始信号の受信に続いて変更されるコンピュータモデル及び前記回復手段によって格納された前記回復データを使用して、前記開始信号の受信時における表示画像に対応する静止画像データを生成する静止画像データ生成手段と
を更に具備するコンピュータグラフィックス装置。
【請求項２】
前記コンピュータモデルは複数のデータオブジェクトを含み、その複数のデータオブジェクトの各々は１つ以上の可変データ項目と関連しており、
前記回復手段は、前記検出手段による可変データ項目への変更の検出時に、変更前の前記可変データ項目の内容のコピーを前記回復データとして格納するように動作可能である請求項１記載のコンピュータグラフィックス装置。
【請求項３】
前記静止画像データ生成手段は、変更されたデータ項目の代わりに前記回復データを使用して静止画像データを生成するように構成される請求項２記載のコンピュータグラフィックス装置。
【請求項４】
前記コンピュータモデルは複数のデータオブジェクトを含み、その複数のデータオブジェクトの各々は１つ以上の可変データ項目と関連しており、
前記回復手段は、前記検出手段による可変データ項目への変更の検出時に、前記変更前の前記可変データ項目の内容と変更後の前記可変データ項目の内容との間の差異に関する変化データを含む回復データを生成し且つ格納するように動作可能である請求項１記載のコンピュータグラフィックス装置。
【請求項５】
前記コンピュータモデルは、複数のデータオブジェクトを含み、
前記変更手段は複数の命令生成器を備え、その複数の命令生成器の各々は変更すべきデータオブジェクトを指定してその他の命令生成器による指定したデータオブジェクトの変更を防止するロック命令を生成するように動作可能であり、
前記検出手段は、ロック命令を検出するように構成される請求項１記載のコンピュータグラフィックス装置。
【請求項６】
前記開始信号は表示画像のユーザ選択を定義し、
前記静止画像データ生成手段はプリンタ用の印刷データを生成する印刷データ生成手段を備える請求項１記載のコンピュータグラフィックス装置。
【請求項７】
前記処理手段は、第１の解像度で表示データを生成するように構成され、
前記静止画像データ生成手段は、第１の解像度より高い第２の解像度で静止画像データを生成するように構成される請求項１記載のコンピュータグラフィックス装置。
【請求項８】
複数の３次元オブジェクトのコンピュータモデルを定義するデータを処理して、一連の変化する２次元画像を定義する表示データ及び前記一連の表示画像のうちの選択された１つの表示画像に対応する静止画像データを生成する方法であって、
前記コンピュータモデルを変更し、
前記コンピュータモデルを定義するデータを処理して前記変化したコンピュータモデルを表示する一連の２次元表示画像を定義する表示データを生成し、
前記一連の表示画像のうちの１つの画像に対応する静止画像データの生成を開始する信号を受信し、
前記開始信号の受信に続いてコンピュータモデルの変更を検出し、
変更の検出に応じて、前記開始信号の受信に続いて変更されたコンピュータモデルを使用して、前記開始信号の受信時における前記表示画像に対応するコンピュータモデルの生成を可能にする回復データを格納し、
前記開始信号の受信に続いて変更されるコンピュータモデル及び前記回復データを使用して、前記開始信号の受信時における表示画像に対応する静止画像データを生成する方法。
【請求項９】
前記コンピュータモデルは複数のデータオブジェクトを有し、その複数のデータオブジェクトの各々は１つ以上の可変データ項目と関連しており、
前記コンピュータモデルの変更の検出は可変データ項目への変更を検出することを含み、
前記回復データの格納は、可変データ項目への変更の検出時に、変更前の前記可変データ項目の内容のコピーを前記回復データとして格納することを含む請求項８記載の方法。
【請求項１０】
前記静止画像データの生成は、変更されたデータ項目の代わりに前記回復データを使用して静止画像データを生成することを含む請求項９記載の方法。
【請求項１１】
前記コンピュータモデルは複数のデータオブジェクトを含み、その複数のデータオブジェクトの各々は１つ以上の可変データ項目と関連しており、
前記コンピュータモデルの変更の検出は可変データ項目への変更を検出することを含み、
前記回復データの格納は、可変データ項目への変更の検出時に、変更前の前記可変データ項目の内容と変更後の前記可変データ項目の内容との間の差異に関する変化データを含む回復データを生成し且つ格納することを含む請求項８記載の方法。
【請求項１２】
前記コンピュータモデルは複数のデータオブジェクトを含み、
前記コンピュータモデルの変更において、複数の命令生成器のうちの１つが、変えるべきデータオブジェクトを指定してその他の命令生成器による指定データオブジェクトの変更を防止するロック命令を生成し、
前記コンピュータモデルの変更の検出はロック命令を検出することを含む請求項８記載の方法。
【請求項１３】
前記開始信号は、表示画像のユーザ選択を定義し、前記静止画像生成は、プリンタ用の印刷データを生成することを含む請求項８記載の方法。
【請求項１４】
前記印刷データに従って画像をスクリーンプリントすることを更に含む請求項１３記載の方法。
【請求項１５】
前記スクリーンプリント画像を直接又は間接のどちらか一方で複製し、コピー画像を生成することを更に含む請求項１４記載の方法。
【請求項１６】
前記表示データ生成では第１の解像度で表示データを生成し、前記静止画像データ生成では第１の解像度より高い第２の解像度で静止画像データを生成する請求項８記載の方法。
【請求項１７】
コンピュータにより、
複数の３次元オブジェクトを含む変化するコンピュータモデルを定義するデータを処理することによって生成された一連の表示画像のうちの１つの表示画像に対応する静止画像データの生成を開始する信号を受信し、
前記開始信号の受信に続くコンピュータモデルの変更を検出し、
変更の検出に応じて、前記開始信号の受信に続いて変更されたコンピュータモデルを使用して、前記開始信号の受信時における前記表示画像に対応するコンピュータモデルの生成を可能にする回復データを格納し、
前記開始信号の受信に続いて変更されるコンピュータモデル及び前記回復データを使用して、前記開始信号の受信時における表示画像に対応する静止画像データを生成する処理を実行させるためのプログラムを格納した記憶媒体。
【請求項１８】
前記コンピュータモデルは複数のデータオブジェクトを含み、その複数のデータオブジェクトの各々は１つ以上の可変データ項目と関連しており、
前記コンピュータにより実行される処理は、
前記コンピュータモデルの変更の検出が可変データ項目への変更を検出することを含み、且つ
前記回復データの格納が、可変データ項目への変更の検出時に、変更前の前記可変データ項目の内容のコピーを前記回復データとして格納することを含むように、前記コンピュータにより処理を実行させるためのプログラムを格納した請求項１７記載の記憶媒体。
【請求項１９】
前記コンピュータにより実行される処理は、前記静止画像データの生成が変更されたデータ項目の代わりに前記回復データを使用して静止画像データを生成することを含むように、前記コンピュータにより処理を実行させるためのプログラムを格納した請求項１８記載の記憶媒体。
【請求項２０】
前記コンピュータモデルは、複数のデータオブジェクトを含み、その複数のデータオブジェクトの各々は１つ以上の可変データ項目と関連しており、
前記コンピュータにより実行される処理は、
前記コンピュータモデルの変更の検出が可変データ項目への変更を検出することを含み、且つ
前記回復データの格納が、可変データ項目への変更の検出時に、変更前の前記可変データ項目の内容と変更後の前記可変データ項目の内容との間の差異に関する変化データを含む回復データを生成し且つ格納することを含むように、前記コンピュータにより処理を実行させるためのプログラムを格納した請求項１７記載の記憶媒体。
【請求項２１】
前記コンピュータモデルは複数の命令生成器によって変更される複数のデータオブジェクトを含み、そのデータ生成器の各々は、変えるべきデータオブジェクトを指定してその他の命令生成器による指定したデータオブジェクトの変更を防止するロック命令を生成することによって変更を開始し、
前記コンピュータにより実行される処理は、前記コンピュータモデルの変更の検出がロック命令を検出することを含むように前記コンピュータにより処理を実行させるためのプログラムを格納した請求項１７記載の記憶媒体。
【請求項２２】
前記開始信号は、表示画像のユーザ選択を定義し、
前記コンピュータにより実行される処理は、前記静止画像データ生成がプリンタ用の印刷データを生成することを含むように、前記コンピュータにより処理を実行させるためのプログラムを格納した請求項１７記載の記憶媒体。
【請求項２３】
前記開始信号は、表示画像のユーザ選択を定義し、
前記コンピュータにより実行される処理は、前記表示データ生成では第１の解像度で表示データを生成し、前記静止画像データ生成では第１の解像度より高い第２の解像度で静止画像データを生成するように、前記コンピュータにより処理を実行させるためのプログラムを格納した請求項１７記載の記憶媒体。
【請求項２４】
コンピュータにより、
複数の３次元オブジェクトを含む変化するコンピュータモデルを定義するデータを処理することによって生成された一連の表示画像のうちの１つの表示画像に対応する静止画像データの生成を開始する信号を受信し、
前記開始信号の受信に続くコンピュータモデルの変更を検出し、
変更の検出に応じて、前記開始信号の受信に続いて変更されたコンピュータモデルを使用して、前記開始信号の受信時における前記表示画像に対応するコンピュータモデルの生成を可能にする回復データを格納し、
前記開始信号の受信に続いて変更されるコンピュータモデル及び前記回復データを使用して、前記開始信号の受信時における表示画像に対応する静止画像データを生成する処理を実行させるためのプログラム。